(57)【要約】【課題】従来はネットワークの工事・設定が完了したらサーバへ通知するだけであったので、給湯器の工事・設定が完了しているのかどうかを確認する方法がなく最悪の場合、給湯器の未工事・未設定を見落とすことが考えられる。【解決手段】設定状態監視手段１１５で得られた情報に基づき設定状態表示手段１１６で現在の設定がどうなっているかを表示する機能を備え、それぞれの設定作業者の行うべき設定が終了しているかどうかを表示することで、それぞれの設定作業者が独立かつ円滑に設定作業を行うことが可能なリモコンシステム。【選択図】図１
2005241026.tif 000002
【特許請求の範囲】
【請求項１】
機器へ湯を供給する給湯器と、前記給湯器のリモコンであって１つ以上のサーバと接続するリモコンとからなるリモコンシステムおいて、前記機器と前記給湯器と前記リモコンの接続設定および／または試運転を行うための機器設定手段と、前記リモコンと前記サーバの接続設定を行うネットワーク設定手段と、前記機器設定手段および前記ネットワーク設定手段の両方の設定が完了したかどうかを監視する設定状態監視手段と、前記設定状態監視手段の情報を基に設定状態を表示する設定状態表示手段と、前記設定状態監視手段の情報に基づき前記サーバに前記機器設定手段による設定状態を送信するための設定状態情報送信手段を備えたことを特徴とするリモコンシステム。
【請求項２】
リモコンの電源投入時に設定状態監視手段の情報に基づき設定状態情報の表示を行うための初期起動時状態表示手段を備えたことを特徴とする請求項１記載のリモコンシステム。
【請求項３】
請求項１〜２のいずれか１項記載のリモコンシステムの機能の少なくとも一部をコンピュータにより実行するためのプログラム。
【請求項４】
設置工事を伴う機器のリモコンであって１つ以上のサーバと接続するリモコンシステムおいて、前記機器と前記リモコンの接続設定および／または試運転を行うための機器設定手段と、前記リモコンと前記サーバの接続設定を行うネットワーク設定手段と、前記機器設定手段および前記ネットワーク設定手段の両方の設定が完了したかどうかを監視する設定状態監視手段と、前記設定状態監視手段の情報を基に設定状態を表示する設定状態表示手段と、前記設定状態監視手段の情報に基づき前記サーバに前記機器設定手段による設定状態を送信するための設定完了情報送信手段を備えたことを特徴とするリモコンシステム。
【発明の詳細な説明】
【技術分野】
【０００１】
本発明は、電気を制御に用いるガス給湯器や石油給湯器や電気温水器やヒートポンプ給湯器などの給湯器（機器）にネットワークを通じてサーバへ接続する機能を付加したリモコンシステムおよびそのプログラムに関するものである。
【背景技術】
【０００２】
従来から使用されているリモコンシステムの一例（例えば、特許文献１参照）を図８を用いて説明する。図８において８０１は機器、８０２は給湯器、８０３はリモコン、８０４はサーバ、８０５は電話回線網である。リモコン８０３は機器８０１や給湯器８０２と通信を行い、機器８０１や給湯器８０２の動作を制御する。また、サーバ８０４はリモコン８０３と電話回線網８０５を通して通信することで、リモコン８０３の制御を行ったり、リモコン８０３が把握している給湯器８０２の状態などを取得することができる。
【特許文献１】特開２００２−１７６６８１号公報
【発明の開示】
【発明が解決しようとする課題】
【０００３】
前記従来のリモコンシステムは、次のような課題を有しているがそれが従来特許文献には記載されていない。給湯器には風呂や給湯蛇口が複数接続され、設置される家の状態によって配管接続形態が異なるため、給湯器を設置する場合は必ず設置工事を伴う。また、近年普及してきているインターネット接続環境が用意された新築のマンションにおいては、サーバへ物理的に接続するために用いるＨＵＢやルータなどのネットワーク関連機器の設置を行うネットワーク工事が必要となる。
【０００４】
給湯器に関する設置工事とネットワーク接続に関するネットワーク工事は、どちらが先に終了するか分からないため、設定の順序を固定することは非常に困難である。給湯器設置工事およびネットワーク接続工事後は、工事により設置された機器をリモコンシステムから利用するためのネットワーク設定作業および機器設定作業が必要となる。
【０００５】
例えば、ネットワーク設定には、ＩＰアドレス付与方式の選択や、サブネットマスク設定、ＤＮＳ設定、接続先ＵＲＬリスト設定などがある。また、機器設定には、リモコンに接続される機器の正常動作確認や、リモコン画面の指令と実際に動作する機器が同一かどうかの設定や、指令通りに機器が動作するかどうかの確認、修正などがある。
【０００６】
ここで、前述のように、ネットワークの設定と、給湯器の設定は工事や設定を行うための専門技術が異なるため、異なった作業者が設定作業を行う場合が少なくないので、設定作業を独立して行う機能や、両設定の終了が完了した設定完了後にサーバへ通知する機能と共に、設定状態がどのようになっているかが容易に分かる機能が求められるという課題があった。
【０００７】
従来はネットワークの工事・設定が完了したらサーバへ通知するだけであったので、給湯器の工事・設定が完了しているのかどうかを確認する方法がなく最悪の場合、給湯器の未工事・未設定を見落とすことが考えられる。
【０００８】
本発明は、前記従来の課題を解決するもので、異なった作業者が行う機器設定とネットワーク設定を独立かつ円滑に進めることができるように、設定状態がどのようになっているかが容易に分かる機能を備えたリモコンシステムを提供することを目的とする。
【課題を解決するための手段】
【０００９】
前記従来の課題を解決するために、本発明のリモコンシステムおよびそのプログラムは、設定状態監視手段で機器設定手段およびネットワーク設定手段の設定状態を監視し、例えば、両方の設定が完了した時点で、設定状態情報送信手段によりサーバへ設定状態が完了であることを送信するように動作すると共に、設定状態監視手段で得られた情報に基づき設定状態表示手段で現在の設定がどうなっているかを表示する機能を備え、それぞれの設定作業者の行うべき設定が終了しているかどうかを表示することで、それぞれの設定作業者が独立かつ円滑に設定作業を行うことが可能なリモコンシステムとしたものである。
【００１０】
また、本発明のリモコンシステムは、初期起動時状態表示手段により、電源投入時に未設定状態にある設定情報の表示を行うことで、設定作業者の作業を行いやすくすると同時に、設定状態の確認を容易にすることが可能なリモコンシステムとしたものである。
【発明の効果】
【００１１】
本発明のリモコンシステムおよびそのプログラムは、設定作業者の行うべき設定が終了しているかどうかを表示することで、それぞれの設定作業者が独立かつ円滑に設定作業を行うことが可能とすることができる。
【発明を実施するための最良の形態】
【００１２】
第１の発明は、機器へお湯を供給する給湯器と、前記給湯器のリモコンであって１つ以上のサーバと接続するリモコンとからなるリモコンシステムおいて、前記リモコンと前記サーバの間の通信を行う通信手段と、前記給湯器と前記リモコンの間の通信を行う機器間通信手段と、前記機器間通信手段を利用し前記機器と前記給湯器と前記リモコンの接続設定および／または試運転を行うための機器設定手段と、前記リモコンと前記サーバの接続設定を行うネットワーク設定手段と、前記機器設定手段および前記ネットワーク設定手段の両方の設定が完了したかどうかを監視する設定状態監視手段と、前記設定状態監視手段の情報を元に設定状態を表示する設定状態表示手段と、前記設定状態監視手段の情報に基づき前記サーバに前記機器設定手段による設定状態を前記通信手段を用いて送信するための設定状態情報送信手段を備えたことを特徴とするリモコンシステムとすることにより、設定状態情報送信手段で、機器設定手段およびネットワーク設定手段の設定状態を監視し、両方の設定が完了した時点で、サーバへ設定状態を送信するように動作すると共に、設定状態監視手段で得られた情報に基づき設定状態表示手段で現在の設定がどうなっているかを表示する機能を備え、それぞれの設定作業者の行うべき設定が終了しているかどうかを表示することで、それぞれの設定作業者が独立かつ円滑に設定作業を行うことが可能なリモコンシステムを提供することができる。
【００１３】
第２の発明は、前記リモコンの電源投入時に前記設定状態監視手段の情報に基づき設定状態情報の表示を行うための初期起動時状態表示手段を備えたことを特徴とするリモコンシステムとすることにより、初期起動時状態表示手段を用いて、電源投入時に未設定状態にある設定情報表示を行うことで、設定作業者の作業を行いやすくすると同時に、設定状態の確認を容易にすることが可能なリモコンシステムを提供することができる。
【００１４】
第３の発明は、第１〜２の発明のいずれか１項記載のリモコンシステムの機能の少なくとも一部をコンピュータにより実行するためのプログラムである。そして、プログラムであるので、電気・情報機器、コンピュータ、サーバ等のハードリソースを協働させて本発明のリモコンシステムの少なくとも一部を容易に実現することができる。また記録媒体に記録したり通信回線を用いてプログラムを配信したりすることでプログラムの配布・更新やそのインストール作業が簡単にできる。
【００１５】
第４の発明は、設置工事を伴う機器のリモコンであって１つ以上のサーバと接続するリモコンシステムおいて、前記機器と前記リモコンの接続設定および／または試運転を行うための機器設定手段と、前記リモコンと前記サーバの接続設定を行うネットワーク設定手段と、前記機器設定手段および前記ネットワーク設定手段の両方の設定が完了したかどうかを監視する設定状態監視手段と、前記設定状態監視手段の情報を基に設定状態を表示する設定状態表示手段と、前記設定状態監視手段の情報に基づき前記サーバに前記機器設定手段による設定状態を送信するための設定完了情報送信手段を備えたことを特徴とするリモコンシステムとすることにより、設定状態情報送信手段で、機器設定手段およびネットワーク設定手段の設定状態を監視し、両方の設定が完了した時点で、サーバへ設定状態を送信するように動作すると共に、設定状態監視手段で得られた情報に基づき設定状態表示手段で現在の設定がどうなっているかを表示する機能を備え、それぞれの設定作業者の行うべき設定が終了しているかどうかを表示することで、それぞれの設定作業者が独立かつ円滑に設定作業を行うことが可能なリモコンシステムを提供することができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態におけるリモコンシステムのブロック図を示すものである。図１において１０１は機器、１０２は給湯器、１０３はリモコン、１０４はサーバ、１０５はリモコン側通信手段、１０６はサーバ側通信手段、１０７は機器側機器間通信手段、１０８は給湯器側機器間通信手段、１０９はリモコン側機器間通信手段、１１０は機器設定手段、１１１はネットワーク設定手段、１１２は設定状態情報送信手段、１１３はリモコン制御手段、１１４は表示手段、１１５は設定状態監視手段、１１６は設定状態表示手段である。
【００１８】
なお、機器１０１には風呂、給湯器１０２にはガス燃焼機、サーバ１０４にはワークステーション、リモコン側通信手段１０５およびサーバ側通信手段１０６にはインターネット等を介してＴＣＰ／ＩＰ通信を行うＬＡＮカード、機器側機器間通信手段１０７と給湯器側機器間通信手段１０８とリモコン側機器間通信手段１０９にはシリアル通信手段、機器設定手段１１０とネットワーク設定手段１１１と設定状態情報送信手段１１２とリモコン制御手段１１３と設定状態監視手段１１５と設定状態表示手段１１６にはマイクロコンピュータ、表示手段１１４には使用者への表示および操作受付が可能なタッチパネルを用いることでこの構成を容易に実現できる。
【００１９】
また、機器１０１には風呂以外にも給湯蛇口や給湯器１０２で生成した温水を用いて機能する温水床暖房装置や浴室乾燥機などを用いることができる。また、給湯器１０２には電気を制御に用いるガス給湯器や石油給湯器や電気温水器やヒートポンプ給湯器などを用いることができる。
【００２０】
以上のように構成されたリモコンシステムについて、以下その動作、作用を説明する。
【００２１】
リモコンシステムが動作を開始する際は、サーバ１０４をまず動作させる。次にリモコン１０３の設置が終了し、リモコン１０３の動作が開始されると、リモコン制御手段１１３は内蔵されているプログラムに基づき、表示手段１１４に機器１０１の操作パネルや機器接続およびネットワーク設定のインターフェースボタンを表示させる。表示されたボタンを使用者が押下すると、リモコン制御手段１１３は、それぞれのボタンに割り当てられた動作を開始させる。
【００２２】
リモコンシステムが動作するためには、機器設定やネットワーク設定を行う必要がある。図２に本実施の形態における設定画面を示す。図２において、２０１は表示設定ボタン、２０２は試運転ボタン、２０３は回線接続ボタン、２０４はサーバ接続ボタン、２０５は終了ボタンである。表示設定ボタン２０１と試運転ボタン２０２は機器設定に関連し、回線接続ボタン２０３とサーバ接続ボタン２０４はネットワーク設定に関連するボタンである。これらのボタンにより実行される作業が完了すると、設定状態監視手段１１５に設定状態情報が記憶される。
【００２３】
表示設定ボタン２０１が使用者により押下されると、リモコン制御手段１１３が、機器設定手段１１０を用いて、リモコン１０３に表示するインターフェースの設定を行う。試運転ボタン２０２が使用者により押下されると、リモコン制御手段１１３が、機器設定手段１１０やリモコン側機器間通信手段１０９を用いて、インターフェースの設定が行われた機器１０１の試運転を行う。回線接続ボタン２０３が使用者により押下されると、リモコン制御手段１１３がネットワーク設定手段１１１を用いて、ＩＰアドレスを固定ＩＰとするかＤＨＣＰで付与するかの設定、サブネットマスク設定、ＤＮＳ設定、ゲートウェイ設定を行う。サーバ接続ボタン２０４が使用者により押下されると、リモコン制御手段１１３が、設定状態情報送信手段１１２を用い、設定状態監視手段１１５で必要な設定が完了していることを確認させた上で、リモコン側通信手段１０５およびサーバ側通信手段１０６を通してサーバ１０４への接続を行う。この際、リモコン１０３のネットワークアドレスや接続された機器情報のアップロードや動作情報のダウンロードがサーバ１０４との間で行なわれる。ここでやりとりされた情報を基に、機器の故障診断や、機器の遠隔制御や、リモコン１０３を通しての使用者への情報提供などが行われる。終了ボタン２０５が使用者により押下されると設定画面が終了する。
【００２４】
図３は本実施の形態における設定動作を示すフローチャートである。図３はリモコン制御手段１１３の指令で表示手段１１４に設定画面が表示された時の動作を示す。以下、フローチャートを用いて補足しながら動作説明を行う。
【００２５】
機器１０１と給湯機１０２とリモコン１０３のすべての接続工事が完了する前にネットワーク接続設定作業者が設定にきた場合、ネットワーク接続設定作業者は、回線接続ボタン２０３の押下（ＳＴＥＰ１５）およびサーバ接続ボタン２０４押下（ＳＴＥＰ１６）により、ネットワーク設定を先に行うことができる。
【００２６】
この際、ネットワーク設定作業者が設定可能な未設定項目がある場合は、設定状態監視手段１１５が、設定状態表示手段１１６により「回線接続が完了していません」表示（ＳＴＥＰ１９）を行い設定作業を促す。
【００２７】
未設定項目が機器設定関連である場合は、図４に示すように、設定状態表示手段１１６により「機器設定が完了していません。後で自動で登録します」表示（ＳＴＥＰ２２）を行う。ここで、「後で自動で登録します」と報せることで、ネットワーク設定の完了をネットワーク設定作業者に伝える。
【００２８】
またこの時、設定状態監視手段１１５はネットワーク設定状態が完了であることを記憶する。後に、機器設定作業者が機器設定を全て完了させると、設定状態監視手段１１５は、全設定状態を設定状態情報送信手段１１２に伝える。設定状態情報送信手段１１２は、自動的にサーバ接続処理を実行する（ＳＴＥＰ６、ＳＴＥＰ２１）。
【００２９】
機器設定作業者が先にきた場合は、機器１０１と給湯機１０２とリモコン１０３の接続工事が実行される。機器設定作業は、表示設定ボタンの押下（ＳＴＥＰ１）および試運転ボタンの押下（ＳＴＥＰ８）により、機器設定を先に行うことができる。
【００３０】
この際、機器設定作業者が設定可能な未設定項目がある場合は、設定状態監視手段１１５が、設定状態表示手段１１６により「試運転が完了していません」表示（ＳＴＥＰ４）や、「表示設定が完了していません」表示（ＳＴＥＰ１１）を行い設定作業を促す。
【００３１】
未設定項目がネットワーク設定関連である場合は、設定状態表示手段１１６により「ネットワーク設定が完了していません。後で自動で登録します」表示（ＳＴＥＰ７，１４）を行う。ここで、「後で自動で登録します」と報せることで、機器設定の完了を機器設定作業者に伝える。
【００３２】
またこの時、設定状態監視手段１１５は機器設定状態が完了であることを記憶する。後に、ネットワーク設定作業者がネットワーク設定を全て完了させると、設定状態監視手段１１５は、全設定状態を設定状態情報送信手段１１２に伝える。設定状態情報送信手段１１２は、自動的にサーバ接続処理を実行する（ＳＴＥＰ２１）。
【００３３】
なお、回線接続ボタン２０３でネットワーク設定が完了しても、リモコン側通信手段１０５とサーバ側通信手段１０６の間の接続が行われていないとサーバ１０４への接続はできない。よって、設定状態情報送信手段１１２は、設定状態監視手段１１５から全設定状態情報を受け取ると、サーバ１０４への接続が完了するまで、定期的に（例えば３０分毎）接続を繰り返すことで、確実にリモコン１０３とサーバ１０４間の通信を完了させる。
【００３４】
また、リモコン制御手段１１３は、ネットワーク設定手段１１１の設定が完了する前でも、機器設定手段１１０による設定が完了した時点で、一般の使用者が表示手段１１４を通して機器１０１や給湯器１０２を動作させることを許可する機能を持つ。これにより、なんらかの原因でネットワーク接続ができなくなった場合でも、ネットワークに関係する機能は使用できなくても、機器１０１や給湯器１０２の機能だけは利用することができる。
【００３５】
以上のように、設定状態情報送信手段１１２で、機器設定手段１１０およびネットワーク設定手段１１１の設定状態を監視し、両方の設定が完了した時点で、サーバへ設定状態が完了であることを送信するように動作すると共に、設定状態監視手段１１５で得られた情報に基づき設定状態表示手段１１６で現在の設定がどうなっているかを表示する機能を備え、それぞれの設定作業者の行うべき設定が終了しているかどうかを表示することで、それぞれの設定作業者が独立かつ円滑に設定作業を行うことが可能なリモコンシステムを提供できる。
【００３６】
なお、このとき両方の設定が完了した時点で、サーバへ設定状態を送信したことをリモコンの表示手段に表示してもよいし、サーバは所定時間経っても設定状態の信号を受信しないときは問い合わせを給湯機リモコンシステムに送信してもよい。特に、サーバに複数の給湯機リモコンシステムが接続されていて、他の給湯機リモコンシステムから設定状態の信号を受信したのに少数の給湯機リモコンシステムから設定状態の信号を未受信のときはサーバから報知信号を給湯機リモコンシステムや別の表示手段などに送信して使用者や設置工事者等に確認を促しても良い。たとえば、集合住宅やマンションなどで一軒だけが設定が完了していない場合、設定作業を忘れている可能性が高いので使用者や設置工事者等に確認を促す。また、両方の設定が完了した時点でサーバへ設定完了を送信するだけでなく、サーバと通信可能となった時点で現在の状態をサーバに送信したり、いずれか一方の設定が完了した時点でサーバに現在の状態を送信してもよい。
【００３７】
なお、本実施の形態では、表示手段１１４を表示および操作受付が可能なタッチパネルとして説明を行ったが、操作受付は別の手段を用いても構わない。
【００３８】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムであれば、磁気メディアや光メディアなどの記録媒体に記録したり、インターネットなどの通信回線を用いて配信することでプログラムの配布・更新やそのインストール作業が簡単にできる。
【００３９】
（実施の形態２）
図５は、本発明の第２の実施の形態におけるリモコンシステムのブロック図を示すものである。図５において５０１は初期起動時状態表示手段である。初期起動時状態表示手段５０１にはマイクロコンピュータなどを用いることで、この構成を容易に実現できる。
【００４０】
以上のように構成されたリモコンシステムについて、以下その動作、作用を説明する。
【００４１】
リモコンシステムが動作を開始する際は、サーバ１０４をまず動作させる。次にリモコン１０３の設置が終了し、リモコン１０３の動作が開始されると、リモコン制御手段１１３は内蔵されているプログラムに基づき、表示手段１１４に機器１０１の操作パネルや機器接続およびネットワーク設定のインターフェースボタンを表示させる。表示されたボタンを使用者が押下すると、リモコン制御手段１１３は、それぞれのボタンに割り当てられた動作を開始させる。
【００４２】
ここで、リモコン１０３の動作を開始するために電源が入れられた直後に、リモコン制御手段１１３は、設定状態監視手段１１５に指令を出し、電源ＯＦＦ状態から電源ＯＮ状態に変化した初期起動時の設定状態を初期起動時状態表示手段５０１により出力させる。
【００４３】
図６は初期起動時の設定画面の動作を示すフローチャートである。初期起動時状態表示手段５０１の動作を図６を用いて説明する。初期起動時に、初期起動時状態表示手段５０１は、設定状態監視手段１１５の持つ情報に基づき、未設定項目がある場合は、図７に示すような初期起動時設定画面を表示手段１０４に表示させる（ＳＴＥＰ６１）。
【００４４】
この時、例えば表示設定が終了していた場合、初期起動時表示手段５０１は、表示設定ボタンを押せないイメージ（表示設定ボタン７０１）で表示したり、７０６のような設定済みマークを表示させる。これにより、設定作業者は、どの設定が終了しているかを容易に判断できるようになる。この設定済み表示は、設定ボタンが押され（ＳＴＥＰ６３）設定が行われる（ＳＴＥＰ６４）毎に更新される（ＳＴＥＰ６２）。これらの動作は終了ボタン７０５が押下されるまで実行される。
【００４５】
全ての設定が終了した状態で、電源が投入され初期起動が行われた場合、未設定項目はない状態であるため初期起動時設定画面（図７）は表示されない（ＳＴＥＰ６１）。これにより、設定作業者は全ての動作が完了したことを電源を再投入するだけで判別することができる。
【００４６】
以上のように、初期起動時状態表示手段５０１により、電源投入時に未設定状態にある設定情報表示を行うことで、設定作業者の作業を行いやすくすると同時に、設定状態の確認を容易にすることが可能なリモコンシステムを提供することができる。
【００４７】
また、電源投入時のほかに、表示手段をオンにしたときに未設定状態にある設定情報表示したり、所定の時間（例えば５分間隔）に未設定状態にある設定情報表示してもよい。またこれらのタイミングでサーバに未設定状態の情報を送信してもよい。
【００４８】
また、本実施の形態では給湯器で説明したがこれに限らず、リモコンを備えた機器がサーバに接続するようなリモコンシステム、たとえば設備機器や家電機器に利用できる。
【００４９】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムであれば、磁気メディアや光メディアなどの記録媒体に記録したり、インターネットなどの通信回線を用いて配信することでプログラムの配布・更新やそのインストール作業が簡単にできる。
【００５０】
なお、本実施の形態で説明した画面の表示図は一例であってこれに限らない。
【産業上の利用可能性】
【００５１】
以上のように、本発明にかかるリモコンシステムおよびそのプログラムは、設定状態監視手段で機器設定手段およびネットワーク設定手段の設定状態を監視し、例えば、両方の設定が完了した時点で、設定状態情報送信手段によりサーバへ設定状態を送信するように動作すると共に、設定状態監視手段で得られた情報に基づき設定状態表示手段で現在の設定がどうなっているかを表示する機能を備え、それぞれの設定作業者の行うべき設定が終了しているかどうかを表示することで、それぞれの設定作業者が独立かつ円滑に設定作業を行うことが可能となる。
【００５２】
また、初期起動時状態表示手段により、電源投入時に未設定状態にある設定情報を行うことで、設定作業者の作業を行いやすくすると同時に、設定状態の確認を容易にすることが可能となる。
【００５３】
これらの動作は、ガスや大電力を扱う太陽光発電システムや燃料電池システムなどのように、専門の業者による接続工事が必要なシステムを、ネットワーク接続可能としたリモコンシステムのような用途にも適用できる。
【図面の簡単な説明】
【００５４】
【図１】本発明の実施の形態１におけるリモコンシステムの構成を示すブロック図
【図２】本発明の実施の形態１におけるリモコンシステムの設定画面を示す図
【図３】本発明の実施の形態１におけるリモコンシステムの設定動作を示すフローチャート
【図４】本発明の実施の形態１におけるリモコンシステムの設定画面動作を示す図
【図５】本発明の実施の形態２におけるリモコンシステムの構成を示すブロック図
【図６】本発明の実施の形態２におけるリモコンシステムの初期起動時設定画面動作を示すフローチャート
【図７】本発明の実施の形態２におけるリモコンシステムの初期起動時設定画面動作を示す図
【図８】従来例であるリモコンシステムの構成を示すブロック図
【符号の説明】
【００５５】
１０１、８０１  機器
１０２、８０２  給湯器
１０３、８０３  リモコン
１０４、８０４  サーバ
１０５  リモコン側通信手段
１０６  サーバ側通信手段
１０７  機器側機器間通信手段
１０８  給湯器側機器間通信手段
１０９  リモコン側機器間通信手段
１１０  機器設定手段
１１１  ネットワーク設定手段
１１２  設定状態情報送信手段
１１３  リモコン制御手段
１１４  表示手段
１１５  設定状態監視手段
１１６  設定状態表示手段
２０１  表示設定ボタン
２０２  試運転ボタン
２０３  回線接続ボタン
２０４  サーバ接続ボタン
２０５  終了ボタン
４０１  自動登録表示
５０１  初期起動時状態表示手段
７０１  表示設定ボタン
７０２  試運転ボタン
７０３  回線接続ボタン
７０４  サーバ接続ボタン
７０５  終了ボタン
７０６  設定済み表示
８０５  電話回線網
【図１】
2005241026.tif 000003
【図２】
2005241026.tif 000004
【図３】
2005241026.tif 000005
【図４】
2005241026.tif 000006
【図５】
2005241026.tif 000007
【図６】
2005241026.tif 000008
【図７】
2005241026.tif 000009
【図８】
2005241026.tif 000010